(57)【要約】【課題】原稿の文字や線画部分、罫線などと重なった特定パターン（例えば、グリフコード）でも読み取り画像中から消去できるようにする。【解決手段】特定パターン検出部１２０は、画像入力部１１０によって読み取られた入力画像データを解析して、特定パターンの検出を行う。復号部１３０は、検出された特定パターンの復号を行い、特定パターンが表す情報を復元する。特定パターン消去部１４０は、入力画像データから、特定パターンの消去を行う。すなわち、まず、特定パターン存在領域生成部１４１によって、特定パターン存在領域を生成する。次に、ウィンドウ生成部１４２によって生成された処理ウィンドウを用いて、画素値置換部１４３によって、特定パターン存在領域の走査を行い、各位置において、処理ウィンドウの両端の画素値が下地色（例えば、白）であった場合は、処理ウィンドウの中心の画素値を、両端の画素値の平均値に置き換える。【選択図】図１
2007158598.tif 000002
【特許請求の範囲】
【請求項１】
入力画像データを解析して、特定パターンの検出を行う特定パターン検出部と、
前記特定パターン検出部によって検出された特定パターンの復号を行い、当該特定パターンが表す情報を復元する特定パターン復号部と、
前記入力画像データから、特定パターンの消去を行う特定パターン消去部と
を備え、
前記特定パターン消去部は、
前記特定パターン復号部によって復元された情報に基づいて、特定パターン存在領域を生成する特定パターン存在領域生成部と、
所定の処理ウィンドウを用いて、前記特定パターン存在領域生成部によって生成された特定パターン存在領域内を走査し、所定の規則に従って、前記処理ウィンドウ内の特定の画素の画素値を所定の画素値に置き換える画素値置換部と
を備えることを特徴とする画像処理装置。
【請求項２】
前記特定パターン存在領域生成部は、前記特定パターン検出部によって検出された特定パターンの傾きに応じた傾きの特定パターン存在領域を生成する
ことを特徴とする請求項１に記載の画像処理装置。
【請求項３】
前記画素値置換部は、前記処理ウィンドウの両端の画素値が下地色である場合は、前記処理ウィンドウの中心の画素値を、両端の画素値の平均値に置き換える
ことを特徴とする請求項１又は２に記載の画像処理装置。
【請求項４】
前記特定パターン検出部は、前記入力画像データの余白領域に埋め込まれている特定パターンに対してパターンマッチングを行うことによって、特定パターンの検出を行う
ことを特徴とする請求項１〜３のいずれか一項に記載の画像処理装置。
【請求項５】
前記所定の処理ウィンドウは、一文字状のウィンドウである
ことを特徴とする請求項１〜４のいずれか一項に記載の画像処理装置。
【請求項６】
前記所定の処理ウィンドウは、Ｉ字状のウィンドウである
ことを特徴とする請求項１〜４のいずれか一項に記載の画像処理装置。
【請求項７】
前記所定の処理ウィンドウは、十字状のウィンドウである
ことを特徴とする請求項１〜４のいずれか一項に記載の画像処理装置。
【請求項８】
前記所定の処理ウィンドウは、前記特定パターン存在領域とほぼ直交する斜線状のウィンドウである
ことを特徴とする請求項１〜４のいずれか一項に記載の画像処理装置。
【請求項９】
前記所定の処理ウィンドウは、×印状のウィンドウである
ことを特徴とする請求項１〜４のいずれか一項に記載の画像処理装置。
【請求項１０】
前記特定パターンは、グリフコードである
ことを特徴とする請求項１〜９のいずれか一項に記載の画像処理装置。
【請求項１１】
入力画像データを解析して、特定パターンの検出を行い、
検出された特定パターンの復号を行って、当該特定パターンが表す情報を復元し、
復元された情報に基づいて、特定パターン存在領域を生成し、
所定の処理ウィンドウを用いて、前記特定パターン存在領域内を走査し、所定の規則に従って、前記処理ウィンドウ内の特定の画素の画素値を所定の画素値に置き換えることによって、前記入力画像データから、特定パターンの消去を行う
ことを特徴とする画像処理方法。
【発明の詳細な説明】
【技術分野】
【０００１】
本発明は、特定パターン（例えば、グリフコード）を含んだ入力画像から、特定パターンを消去するための画像処理に関する。
【背景技術】
【０００２】
特開平１１−２９８７２９号公報には、ジェネレーションコピー（プリンタ等で印刷出力された印刷物を原稿として複写した複写物）の画質を向上させるため、画像出力が行われた機種情報及びその際に施された画像調整情報を示す特定パターンをプリント画像に付加し、当該プリント画像を原稿とした際に、検出した特定パターンによって示される情報に基づいて画像処理を調整する画像処理装置が開示されている。
【０００３】
また、特開２００５−１２６２３号公報には、ジェネレーションコピーによる画質の低下によって特定パターンの認識精度が低下してしまうことを防止するため、画像入力手段によって入力された画像データから、パターン検出手段で検出した第１の特定パターンをパターン消去手段によって消去したうえで、画像処理手段で所定の画像処理をした画像データに、パターン付加手段によって第２の特定パターンを付加する画像処理装置が開示されている。
【０００４】
しかしながら、特開２００５−１２６２３号公報に開示されている特定パターンの消去方法では、パターンマッチングで検出された特定パターンのみを消去対象としているため、原稿の余白部分（文字等がない部分）に埋め込まれている特定パターンの消去は行えても、原稿の文字や線画部分、罫線などと重なった特定パターンの消去は行えない。
【特許文献１】特開平１１−２９８７２９号公報
【特許文献２】特開２００５−１２６２３号公報
【発明の開示】
【発明が解決しようとする課題】
【０００５】
本発明の目的は、原稿の文字や線画部分、罫線などと重なった特定パターンでも入力画像中から消去できるようにすることにある。
【課題を解決するための手段】
【０００６】
本発明に係る画像処理装置は、入力画像データを解析して、特定パターンの検出を行う特定パターン検出部と、前記特定パターン検出部によって検出された特定パターンの復号を行い、当該特定パターンが表す情報を復元する特定パターン復号部と、前記入力画像データから、特定パターンの消去を行う特定パターン消去部とを備え、前記特定パターン消去部は、前記特定パターン復号部によって復元された情報に基づいて、特定パターン存在領域を生成する特定パターン存在領域生成部と、所定の処理ウィンドウを用いて、前記特定パターン存在領域生成部によって生成された特定パターン存在領域内を走査し、所定の規則に従って、前記処理ウィンドウ内の特定の画素の画素値を所定の画素値に置き換える画素値置換部とを備えることを特徴とする。
【０００７】
この場合において、前記特定パターン存在領域生成部は、前記特定パターン検出部によって検出された特定パターンの傾きに応じた傾きの特定パターン存在領域を生成するようにしてもよい。また、前記画素値置換部は、前記処理ウィンドウの両端の画素値が下地色である場合は、前記処理ウィンドウの中心の画素値を、両端の画素値の平均値に置き換えるようにしてもよい。また、前記特定パターン検出部は、前記入力画像データの余白領域に埋め込まれている特定パターンに対してパターンマッチングを行うことによって、特定パターンの検出を行うようにしてもよい。
【０００８】
また、以上の場合において、前記所定の処理ウィンドウは、一文字状のウィンドウであってもよいし、Ｉ字状のウィンドウであってもよいし、十字状のウィンドウであってもよいし、前記特定パターン存在領域とほぼ直交する斜線状のウィンドウであってもよいし、×印状のウィンドウであってもよい。また、前記特定パターンは、例えば、グリフコードである。
【０００９】
本発明に係る画像処理方法は、入力画像データを解析して、特定パターンの検出を行い、検出された特定パターンの復号を行って、当該特定パターンが表す情報を復元し、復元された情報に基づいて、特定パターン存在領域を生成し、所定の処理ウィンドウを用いて、前記特定パターン存在領域内を走査し、所定の規則に従って、前記処理ウィンドウ内の特定の画素の画素値を所定の画素値に置き換えることによって、前記入力画像データから、特定パターンの消去を行うことを特徴とする。
【発明の効果】
【００１０】
本発明によれば、原稿の文字や線画部分、罫線などと重なった特定パターンでも入力画像中から消去することが可能となる。
【発明を実施するための最良の形態】
【００１１】
以下、本発明の実施の形態について、図面を参照しつつ詳細に説明する。
【００１２】
まず、本発明による画像処理によって入力画像から消去される特定パターンであるグリフコードについて説明する。
【００１３】
グリフコードとは、２種類の小さな斜線、すなわち右上がりの斜線「／」（スラッシュ）と左上がりの斜線「＼」（バックスラッシュ）とによって、２進数の「０」及び「１」を表すようにした符号であり、１つの斜線で１ビットの情報を表すようにしたものである。以下では、「／」が２進数の「０」を表し、「＼」が２進数の「１」を表すものとして説明を行う。例えば、「／／＼＼＼／／＼」は、２進数の「００１１１００１」を表す。
【００１４】
このようなグリフコードを１次元または２次元に配列することによって、種々の情報を用紙上（原稿画像中）に埋め込むことが可能となる。なお、グリフコードは、通常、同じ情報を表すグリフコードパターンが繰り返し、用紙（画像）全体にわたって埋め込まれる。
【００１５】
次に、このようなグリフコードを含む原稿の画像を読み取り、読み取られた画像からグリフコードを消去して出力する画像処理装置について説明する。
【００１６】
図１は、本発明による画像処理装置の機能構成を示す図である。同図に示した画像処理装置は、ディジタル複写機を構成する。但し、同図では、本発明に関連する構成要素についてのみ示している。
【００１７】
同図に示すように、本発明による画像処理装置１００は、画像入力部１１０と、特定パターン検出部１２０と、特定パターン復号部１３０と、特定パターン消去部１４０と、画像出力部１５０とを備える。
【００１８】
画像入力部１１０は、原稿の画像を光学的に読み取って、画像処理装置１００内に読み込むためのものであり、例えば、通常のスキャナユニットによって構成される。
【００１９】
特定パターン検出部１２０は、画像入力部１１０によって読み取られた入力画像データを解析して、特定パターンであるグリフコードの検出を行うものである。特定パターン検出部１２０は、入力画像の余白領域に埋め込まれている特定パターンに対してパターンマッチングを行うことによって、特定パターンの検出を行う。なお、特定パターン検出部１２０は、グリフコードのパターン内容（スラッシュ及びバックスラッシュの並び方）のみならず、グリフコードの位置座標及び角度（傾き）も検出する。
【００２０】
特定パターン復号部１３０は、特定パターン検出部１２０によって検出されたグリフコードの復号を行うものである。すなわち、グリフコードが表す情報（符号化された情報）を復元する。
【００２１】
特定パターン消去部１４０は、入力画像データから、特定パターンであるグリフコードの消去を行うものであり、同図に示すように、特定パターン存在領域生成部１４１と、処理ウィンドウ生成部１４２と、画素値置換部１４３とを備える。特定パターン消去部１４０の詳細については後述する。
【００２２】
画像出力部１５０は、特定パターン消去部１４０によってグリフコードが消去された原稿画像に基づいて、用紙に対する通常の出力処理を行うものであり、例えば、電子写真プリンタユニットによって構成され、感光体、帯電装置、露光装置、現像装置、定着装置、クリーニング装置等を備える。
【００２３】
次に、特定パターン消去部１４０の詳細について説明する。前述したように、特定パターン消去部１４０は、特定パターン存在領域生成部１４１と、処理ウィンドウ生成部１４２と、画素値置換部１４３とを備える。
【００２４】
特定パターン存在領域生成部１４１は、特定パターン復号部１３０によって復元された情報に基づいて、特定パターン存在領域を生成するものである。特定パターン存在領域とは、特定パターン復号部１３０によって復元された情報から予測される各グリフコード（スラッシュ又はバックスラッシュ）が存在し得る領域である。特定パターン存在領域生成部１４１は、復元された情報に基づいて、改めてグリフコードを生成することにより、グリフコードが存在する領域（位置情報）を予測する。特定パターン存在領域生成部１４１は、入力画像に含まれ得るすべてのグリフコード（スラッシュ又はバックスラッシュ）に対して特定パターン存在領域を生成する。
【００２５】
図２は、特定パターン存在領域の例を示す図である。同図は、復号された情報が「００１０」の場合に生成される特定パターン存在領域を示しており、同図（ａ）は、特定パターン存在領域のみを示しており、同図（ｂ）は、グリフコードを含んだ状態の特定パターン存在領域を示している。同図（ｂ）に示すように、特定パターンである各グリフコードは、特定パターン存在領域内に完全に収まるようになる。
【００２６】
図３は、特定パターン存在領域の別の例を示す図である。同図も、図２の場合と同様に、復号された情報が「００１０」の場合に生成される特定パターン存在領域を示しており、図３（ａ）は、特定パターン存在領域のみを示しており、同図（ｂ）は、グリフコードを含んだ状態の特定パターン存在領域を示している。
【００２７】
同図は、特定パターン検出部１２０によって検出されたグリフコードが傾いていた場合に生成される特定パターン存在領域を示している。このような場合、特定パターン存在領域生成部１４１は、例えば、まず、図２（ａ）に示したような特定パターン存在領域を生成し、その後、特定パターン検出部１２０によって検出されたグリフコードの角度及び位置座標に基づいて、生成された特定パターン存在領域を修正する（傾ける）ことによって、最終的に、図３に示したような特定パターン存在領域を生成する。
【００２８】
処理ウィンドウ生成部１４２は、特定パターン存在領域生成部１４１によって生成された特定パターン存在領域内を走査するための処理ウィンドウを生成するものである。処理ウィンドウ生成部１４２も、特定パターン検出部１２０によって検出されたグリフコードの傾きに応じた傾きの処理ウィンドウを生成する。後述するように、処理ウィンドウの形状は様々なものが考えられる。
【００２９】
画素値置換部１４３は、処理ウィンドウ生成部１４２によって生成された処理ウィンドウを用いて、特定パターン存在領域生成部１４１によって生成されたすべての特定パターン存在領域内を走査し、所定の規則に従って、処理ウィンドウ内の特定の画素の画素値を所定の画素値に置き換えるものである。画素値置換部１４３による画素値の置換によって、グリフコードの消去が実現される。
【００３０】
次に、特定パターン消去部１４０において行われる処理について具体的に説明する。
【００３１】
図４は、処理ウィンドウの形状が一文字状の場合の特定パターン消去部１４０における処理を説明するための図である。
【００３２】
同図（ａ）は、特定パターン存在領域と処理ウィンドウとの関係を示す図である。また、同図（ｂ）及び（ｃ）は、処理ウィンドウを拡大した図であり、同図（ｂ）は、画素値置換部１４３による置換処理前の様子を示し、同図（ｃ）は、画素値置換部１４３による置換処理後の様子を示している。
【００３３】
この場合、処理ウィンドウ生成部１４２は、同図に示すように、一文字状の処理ウィンドウ４０１を生成する。なお、ここでは、処理ウィンドウのサイズは、横（主走査方向）５画素×縦（副走査方向）１画素としている。
【００３４】
画素値置換部１４３は、同図に示すような処理ウィンドウを用いて、特定パターン存在領域内を一画素ずつずらしながら走査していき、各位置において、処理ウィンドウの両端の画素値が下地色（例えば、白）である場合は、中心画素を、両端の画素値の平均値に置き換える。例えば、同図（ｂ）に示すような場合、中心画素が両端の画素値の平均値に置き換えられ、同図（ｃ）に示すような状態になる。
【００３５】
このような処理を行うことにより、細い線（１〜２画素）で構成されるグリフコードを消すことが可能となる。
【００３６】
図５は、処理ウィンドウの形状がＩ字状の場合の特定パターン消去部１４０における処理を説明するための図である。
【００３７】
同図（ａ）は、特定パターン存在領域と処理ウィンドウとの関係を示す図である。また、同図（ｂ）及び（ｃ）は、処理ウィンドウを拡大した図であり、同図（ｂ）は、画素値置換部１４３による置換処理前の様子を示し、同図（ｃ）は、画素値置換部１４３による置換処理後の様子を示している。
【００３８】
この場合、処理ウィンドウ生成部１４２は、同図に示すように、Ｉ字状の処理ウィンドウ５０１を生成する。なお、ここでは、処理ウィンドウのサイズは、横（主走査方向）１画素×縦（副走査方向）５画素としている。
【００３９】
画素値置換部１４３は、同図に示すような処理ウィンドウを用いて、特定パターン存在領域内を一画素ずつずらしながら走査していき、各位置において、処理ウィンドウの両端の画素値が下地色（例えば、白）である場合は、中心画素を、両端の画素値の平均値に置き換える。例えば、同図（ｂ）に示すような場合、中心画素が両端の画素値の平均値に置き換えられ、同図（ｃ）に示すような状態になる。
【００４０】
このような処理を行うことにより、細い線（１〜２画素）で構成されるグリフコードを消すことが可能となる。
【００４１】
図６は、処理ウィンドウの形状が十字状の場合の特定パターン消去部１４０における処理を説明するための図である。
【００４２】
同図（ａ）は、特定パターン存在領域と処理ウィンドウとの関係を示す図である。また、同図（ｂ）及び（ｃ）は、処理ウィンドウを拡大した図であり、同図（ｂ）は、画素値置換部１４３による置換処理前の様子を示し、同図（ｃ）は、画素値置換部１４３による置換処理後の様子を示している。
【００４３】
この場合、処理ウィンドウ生成部１４２は、同図に示すように、十字状の処理ウィンドウ６０１を生成する。なお、ここでは、処理ウィンドウのサイズは、十字を構成する横線部のサイズを横５画素×縦１画素とし、十字を構成する縦線部を横１画素×縦５画素としている。
【００４４】
画素値置換部１４３は、同図に示すような処理ウィンドウを用いて、特定パターン存在領域内を一画素ずつずらしながら走査していき、各位置において、処理ウィンドウを構成する縦線部及び横線部のいずれか一方の両端の画素値が下地色（例えば、白）である場合は、中心画素を、両端の画素値の平均値に置き換える。例えば、同図（ｂ）に示すような場合、中心画素が縦線部の両端の画素値の平均値に置き換えられ、同図（ｃ）に示すような状態になる。
【００４５】
このような処理を行うことにより、細い線（１〜２画素）で構成されるグリフコードを消すことが可能となる。
【００４６】
図７は、処理ウィンドウの形状が斜線状の場合の特定パターン消去部１４０における処理を説明するための図である。
【００４７】
同図（ａ）は、特定パターン存在領域と処理ウィンドウとの関係を示す図である。また、同図（ｂ）及び（ｃ）は、処理ウィンドウを拡大した図であり、同図（ｂ）は、画素値置換部１４３による置換処理前の様子を示し、同図（ｃ）は、画素値置換部１４３による置換処理後の様子を示している。
【００４８】
この場合、処理ウィンドウ生成部１４２は、同図に示すように、特定パターン存在領域（長手方向）とほぼ直交する斜線状の処理ウィンドウ７０１を生成する。処理ウィンドウ生成部１４２は、特定パターン存在領域の向きに応じて、２種類の処理ウィンドウを生成する。すなわち、右上がりの形状を有する特定パターン存在領域（スラッシュを含む特定パターン存在領域）に対しては、左上がりの斜線状の処理ウィンドウを生成し、左上がりの形状を有する特定パターン存在領域（バックスラッシュを含む特定パターン存在領域）に対しては、右上がりの斜線状の処理ウィンドウを生成する。なお、ここでは、処理ウィンドウのサイズは、斜線の幅１画素×長さ５画素としている。
【００４９】
画素値置換部１４３は、同図に示すような処理ウィンドウを用いて、特定パターン存在領域内を一画素ずつずらしながら走査していき、各位置において、処理ウィンドウの両端の画素値が下地色（例えば、白）である場合は、中心画素を、両端の画素値の平均値に置き換える。例えば、同図（ｂ）に示すような場合、中心画素が両端の画素値の平均値に置き換えられ、同図（ｃ）に示すような状態になる。
【００５０】
このような処理を行うことにより、細い線（１〜２画素）で構成されるグリフコードを消すことが可能となる。
【００５１】
図８は、処理ウィンドウの形状が×印状の場合の特定パターン消去部１４０における処理を説明するための図である。
【００５２】
同図（ａ）は、特定パターン存在領域と処理ウィンドウとの関係を示す図である。また、同図（ｂ）及び（ｃ）は、処理ウィンドウを拡大した図であり、同図（ｂ）は、画素値置換部１４３による置換処理前の様子を示し、同図（ｃ）は、画素値置換部１４３による置換処理後の様子を示している。
【００５３】
この場合、処理ウィンドウ生成部１４２は、同図に示すように、×印状の処理ウィンドウ８０１を生成する。×印状の処理ウィンドウを構成する右上がりの斜線部は、左上がりの特定パターン存在領域（長手方向）とほぼ直交し、×印状の処理ウィンドウを構成する左上がりの斜線部は、右上がりの特定パターン存在領域（長手方向）とほぼ直交する。なお、ここでは、処理ウィンドウのサイズは、×印を構成する各斜線部のサイズを幅１画素×長さ５画素としている。
【００５４】
画素値置換部１４３は、同図に示すような処理ウィンドウを用いて、特定パターン存在領域内を一画素ずつずらしながら走査していき、各位置において、処理ウィンドウを構成する２つの斜線部のいずれか一方の両端の画素値が下地色（例えば、白）である場合は、中心画素を、両端の画素値の平均値に置き換える。例えば、同図（ｂ）に示すような場合、中心画素が、左上がりの斜線部の両端の画素値の平均値に置き換えられ、同図（ｃ）に示すような状態になる。
【００５５】
このような処理を行うことにより、細い線（１〜２画素）で構成されるグリフコードを消すことが可能となる。
【００５６】
図９は、特定パターン消去部１４０によって文字と重なったグリフコードが消去される様子を示す図である。同図（ａ）は、特定パターン存在領域が生成された状態を示し、同図（ｂ）は、グリフコードが消去された状態を示し、同図（ｃ）は、消去された線分を示している。なお、同図は、十字状の処理ウィンドウを用いて、消去を行った結果を示している。
【００５７】
同図に示すように、特定パターン消去部１４０によれば、文字と重なったグリフコードであっても、消去すべき部分の大部分を消去することが可能となる。
【００５８】
次に、画像処理装置１００における処理の流れについて説明する。
【００５９】
図１０は、画像処理装置１００における処理の流れを示す図である。
【００６０】
同図に示すように、まず、画像入力部１１０によって、特定パターンを含む原稿の読み取りが行われる（Ｓ１００１）。次に、特定パターン検出部１２０によって、読み取られた入力画像データが解析され、特定パターンであるグリフコードの検出が行われる（Ｓ１００２）。
【００６１】
次に、特定パターン復号部１３０によって、検出されたグリフコードの復号が行われ、グリフコードが表す情報（符号化された情報）が復元される（Ｓ１００３）。
【００６２】
次に、特定パターン消去部１４０によって、入力画像データから、特定パターンであるグリフコードの消去が行われる。すなわち、まず、特定パターン存在領域生成部１４１によって、特定パターン存在領域が生成される（Ｓ１００４）。次に、処理ウィンドウ生成部１４２によって生成された処理ウィンドウを用いて、画素値置換部１４３によって、特定パターン存在領域の走査が行われる（Ｓ１００５）。そして、各位置において、処理ウィンドウの両端の画素値が下地色（例えば、白）であるか否かが調べられ（Ｓ１００６）、処理ウィンドウの両端の画素値が下地色であった場合は（Ｓ１００６：Ｙｅｓ）、処理ウィンドウの中心の画素値が、両端の画素値の平均値に置き換えられる（Ｓ１００７）。一方、いずれか一方でも下地色でなかった場合は（Ｓ１００６：Ｎｏ）、そのまま次の処理に進む。
【００６３】
そして、すべての特定パターン存在領域の走査が終了したか否かが判別され（Ｓ１００８）、終了していない場合は（Ｓ１００８：Ｎｏ）、処理ウィンドウを適宜移動させて上述した処理Ｓ１００５〜Ｓ１００８を繰り返す。上述した処理Ｓ１００５〜Ｓ１００８を繰り返した結果、すべての特定パターン存在領域の走査が終了すると（Ｓ１００８：Ｙｅｓ）、特定パターンであるグリフコードが消去された画像データが、画像出力部１５０によって用紙に対して出力される。
【００６４】
以上のような処理を行うことにより、特定パターンを含む原稿の複写結果として、特定パターンが消去された複写物を得ることができる。なお、画像処理装置１００では、簡単のため、画像入力部１１０によって読み取られた原稿画像から特定パターンを消去しただけで出力を行っているが、特定パターンの消去を行った後に、改めて同じ特定パターン又は異なる特定パターンを付加して出力を行うようにしてもよい。
【図面の簡単な説明】
【００６５】
【図１】本発明による画像処理装置の機能構成を示す図である。
【図２】特定パターン存在領域の例を示す図である。
【図３】特定パターン存在領域の別の例を示す図である。
【図４】処理ウィンドウの形状が一文字状の場合の特定パターン消去部１４０における処理を説明するための図である。
【図５】処理ウィンドウの形状がＩ字状の場合の特定パターン消去部１４０における処理を説明するための図である。
【図６】処理ウィンドウの形状が十字状の場合の特定パターン消去部１４０における処理を説明するための図である。
【図７】処理ウィンドウの形状が斜線状の場合の特定パターン消去部１４０における処理を説明するための図である。
【図８】処理ウィンドウの形状が×印状の場合の特定パターン消去部１４０における処理を説明するための図である。
【図９】特定パターン消去部１４０によって文字と重なったグリフコードが消去される様子を示す図である。
【図１０】画像処理装置１００における処理の流れを示す図である。
【符号の説明】
【００６６】
１００    画像処理装置
１１０    画像入力部
１２０    特定パターン検出部
１３０    特定パターン復号部
１４０    特定パターン消去部
１４１    特定パターン存在領域生成部
１４２    処理ウィンドウ生成部
１４３    画素値置換部
１５０    画像出力部
【図１】
2007158598.tif 000003
【図１０】
2007158598.tif 000004
【図２】
2007158598.tif 000005
【図３】
2007158598.tif 000006
【図４】
2007158598.tif 000007
【図５】
2007158598.tif 000008
【図６】
2007158598.tif 000009
【図７】
2007158598.tif 000010
【図８】
2007158598.tif 000011
【図９】
2007158598.tif 000012